(57)【要約】【課題】バーナを内蔵する燃焼筐内に燃焼用空気を供給する燃焼ファンと、給気筒と排気筒との少なくとも一方から成る付属筒とを備える燃焼装置において、付属筒の抜けを検知して安全対策を実行できるようにする。【解決手段】付属筒の配管後に、バーナを燃焼させない状態で燃焼ファンを所定回転数で作動させ（ＳＴＥＰ３）、このときに燃焼ファンに流れる空気量を検出し、この空気量から判別される付属筒の通気抵抗が所定の下限値以上か否かを判断する（ＳＴＥＰ４、５）。そして、付属筒の通気抵抗が下限値を下回るときは、付属筒の抜けを生じていると判断して、バーナの燃焼を禁止する。【選択図】図２
2016156566.tif 000002
【特許請求の範囲】
【請求項１】
バーナを内蔵する燃焼筐と、燃焼筐内に燃焼用空気を供給する燃焼ファンと、燃焼ファンの吸込み側に連なる給気筒と燃焼筐の排気口に連なる排気筒との少なくとも一方とを備える燃焼装置であって、
給気筒と排気筒とのうち燃焼装置が具備するものを付属筒として、燃焼ファンに流れる空気量を検出する空気量検出手段と、
バーナを燃焼させない状態で燃焼ファンを作動させ、このときに空気量検出手段で検出される空気量と燃焼ファンの回転数との関係から付属筒の通気抵抗を判別する抵抗判別手段と、
抵抗判別手段で判別した付属筒の通気抵抗が所定の下限値を下回るときは、バーナの燃焼を禁止する制御手段とを備えることを特徴とする燃焼装置。
【請求項２】
燃焼装置の設置現場で配管した付属筒の径、長さ、配管曲げ数に基づいて求められる付属筒が正常に配管された場合の通気抵抗を基準にして前記下限値が設定されることを特徴とする請求項１記載の燃焼装置。
【請求項３】
前記抵抗判別手段は、燃焼ファンを所定回転数で作動させたときに空気量検出手段で検出される空気量から、または、空気量検出手段で検出される空気量が所定量になるように回転数を制御しつつ燃焼ファンを作動させたときの燃焼ファンの回転数から付属筒の通気抵抗を判別するように構成されることを特徴とする請求項１又は２記載の燃焼装置。
【発明の詳細な説明】
【技術分野】
【０００１】
本発明は、バーナを内蔵する燃焼筐と、燃焼筐内に燃焼用空気を供給する燃焼ファンと、燃焼ファンの吸込み側に連なる給気筒と燃焼筐の排気口に連なる排気筒との少なくとも一方とを備える燃焼装置に関する。
【背景技術】
【０００２】
従来、この種の燃焼装置において、給気筒と排気筒とのうち燃焼装置が具備するものを付属筒として、燃焼ファンに流れる空気量を検出する空気量検出手段を備え、バーナを燃焼させない状態で燃焼ファンを所定回転数で作動させ、このときに空気量検出手段で検出される空気量を表示手段に表示し、表示された空気量から付属筒の長さ（通気抵抗）を判別し、付属筒の通気抵抗を可変するダンパーを付属筒の長さに合わせて調節し、付属筒の通気抵抗を所定範囲に収めるようにしたものが知られている（特許文献１参照）。
【０００３】
ところで、燃焼装置の設置時には、付属筒の配管を行うが、付属筒が途中で抜けてしまうことがある。このような付属筒の抜けを生じた場合、抜けた付属筒が排気筒であると、燃焼装置の使用時に燃焼排ガスが屋内に排出されることになって、安全上問題がある。然し、付属筒の抜けを検知して安全対策を行う技術は未だ開発されていない。
【先行技術文献】
【特許文献】
【０００４】
【特許文献１】特開２００６−６４２３２号公報
【発明の概要】
【発明が解決しようとする課題】
【０００５】
本発明は、以上の点に鑑み、付属筒の抜けを検知して安全対策を実行できるようにした燃焼装置を提供することをその課題としている。
【課題を解決するための手段】
【０００６】
上記課題を解決するために、本発明は、バーナを内蔵する燃焼筐と、燃焼筐内に燃焼用空気を供給する燃焼ファンと、燃焼ファンの吸込み側に連なる給気筒と燃焼筐の排気口に連なる排気筒との少なくとも一方とを備える燃焼装置であって、給気筒と排気筒とのうち燃焼装置が具備するものを付属筒として、燃焼ファンに流れる空気量を検出する空気量検出手段と、バーナを燃焼させない状態で燃焼ファンを作動させ、このときに空気量検出手段で検出される空気量と燃焼ファンの回転数との関係から付属筒の通気抵抗を判別する抵抗判別手段と、抵抗判別手段で判別した付属筒の通気抵抗が所定の下限値を下回るときは、バーナの燃焼を禁止する制御手段とを備えることを特徴とする。
【０００７】
ここで、燃焼装置の設置現場で配管した付属筒の径、長さ、配管曲げ数に基づいて求められる付属筒が正常に配管された場合の通気抵抗を基準にして下限値を設定すれば、付属筒の抜けを生ずると、付属筒の通気抵抗が下限値を下回る。従って、本発明によれば、付属筒の抜けを生じた場合、これを検知してバーナの燃焼を禁止することができ、安全である。
【０００８】
また、本発明において、抵抗判別手段は、燃焼ファンを所定回転数で作動させたときに空気量検出手段で検出される空気量から、または、空気量検出手段で検出される空気量が所定量になるように回転数を制御しつつ燃焼ファンを作動させたときの燃焼ファンの回転数から付属筒の通気抵抗を判別するように構成すればよい。
【図面の簡単な説明】
【０００９】
【図１】本発明の実施形態の燃焼装置の模式図。
【図２】実施形態の燃焼装置で実行する付属筒の配管検査手順を示すフロー図。
【発明を実施するための形態】
【００１０】
図１を参照して、１は、燃焼装置の密閉型ハウジングを示している。ハウジング１内には、複数のバーナ３とバーナ３で加熱される熱交換器４とを内蔵する燃焼筐２と、燃焼筐２内に燃焼用空気を供給する燃焼ファン５とが収納されている。
【００１１】
また、燃焼装置は、これに付属する付属筒として、燃焼ファン５の吸込み側にハウジング１の内部空間を介して連なる給気筒６と、燃焼筐２の排気口２ａに連なる排気筒７とを備え、更に、バーナ３及び燃焼ファン５を制御する制御手段たるコントローラ８を備えている。また、コントローラ８にはリモコン８ａが接続されている。
【００１２】
ここで、燃焼装置の設置時に、付属筒、即ち、給気筒６及び排気筒７を配管するが、付属筒が途中で抜けてしまうことがある。そこで、本実施形態では、燃焼ファン５に流れる空気量を検出する空気量検出手段９と、バーナ３を燃焼させない状態で燃焼ファン５を所定回転数で作動させ、このときに空気量検出手段９で検出される空気量と燃焼ファン５の回転数との関係から付属筒の通気抵抗（給気筒６及び排気筒７の合計通気抵抗）を判別する抵抗判別手段とを設けている。
【００１３】
空気量検出手段９は、ハウジング１の内圧を検出する第１圧力センサ９ａと燃焼ファン５の吸込み側の負圧を検出する第２圧力センサ９ｂとで構成され、第１圧力センサ９ａの検出圧力と第２圧力センサ９ｂの検出圧力との差圧に基づいて燃焼ファン５に流れる空気量を演算する。尚、バーナ３を燃焼させない状態では、給気筒６や排気筒７に流れる風量は燃焼ファン５に流れる空気量と等しいため、給気筒６や排気筒７に配置する風量センサで空気量検出手段を構成することも可能である。また、燃焼ファン５に流れる空気量は、燃焼ファン５と燃焼筐２との間のダクト部分に配置した風量センサや、空気量に比例して変化する燃焼ファン５のモータ電流から検出することも可能である。
【００１４】
抵抗判別手段は、コントローラ８がプログラムにより実行する機能的手段で構成されている。即ち、コントローラ８は、燃焼ファン５を所定回転数で作動させたときに燃焼ファン５に流れる空気量と付属筒の通気抵抗との相関関係を記憶しており、空気量検出手段９で検出される空気量からこの相関関係に基づいて付属筒の通気抵抗を判別する。
【００１５】
以下、図２を参照して、付属筒の配管検査手順を説明する。先ず、ＳＴＥＰ１において、燃焼装置を設置して、付属筒を配管する。次に、ＳＴＥＰ２において、燃焼装置の電源を入れ、リモコン８ａでメンテモードにして、配管した付属筒の径、長さ、配管曲げ数（付属管の屈曲箇所の数）を入力し、この入力情報に基づいてコントローラ８が下限値を演算する。即ち、入力情報に基づいて付属筒が正常に配管された場合の通気抵抗を求め、この通気抵抗を基準にしてそれより所定の許容幅分だけ低い値を下限値に設定する。
【００１６】
その後、ＳＴＥＰ３に進み、リモコンで付属筒の配管検査モードにし、バーナ３を燃焼させない状態で燃焼ファン５を所定回転数で作動させる。そして、コントローラ８は、ＳＴＥＰ４において、空気量検出手段９で検出される空気量から付属筒の通気抵抗を判別し、ＳＴＥＰ５で付属筒の通気抵抗が上記下限値以上か否かを判別する。付属筒の通気抵抗が下限値以上であれば、ＳＴＥＰ６に進んで、燃焼装置を使用可能とする。
【００１７】
一方、付属筒の抜けを生ずると、付属筒の通気抵抗は下限値を下回る。そこで、付属筒の通気抵抗が下限値を下回るときは、ＳＴＥＰ７に進み、付属筒の抜けを生じていると判断して、異常表示を行うと共に、燃焼装置を使用不可、即ち、バーナ３の燃焼を禁止する。そのため、付属筒の抜けを生じているのに燃焼装置が使用されることはなく、安全である。尚、ＳＴＥＰ７で異常表示されたときは、ＳＴＥＰ８で付属筒の配管を修正した後、ＳＴＥＰ２に戻る。
【００１８】
以上、本発明の実施形態について図面を参照して説明したが、本発明はこれに限定されない。例えば、ＳＴＥＰ３において燃焼ファン５を上記実施形態の如く所定回転数で作動させるのに代えて、空気量検出手段９で検出される空気量が所定量になるように回転数を制御しつつ燃焼ファン５を作動させることも可能である。この場合は、コントローラ８に、空気量を所定量にしたときの燃焼ファン５の回転数と付属筒の通気抵抗との相関関係を記憶させておき、ＳＴＥＰ４において燃焼ファン５の回転数からこの相関関係に基づいて付属筒の通気抵抗を判別する。また、上記実施形態の燃焼装置は、付属筒として給気筒６と排気筒７の両者を備えるが、給気筒６と排気筒７との一方のみを備える燃焼装置にも同様に本発明を適用できる。
【符号の説明】
【００１９】
２…燃焼筐、３…バーナ、５…燃焼ファン、６…給気筒、７…排気筒、８…コントローラ（抵抗判別手段、制御手段）、９…空気量検出手段。
【図１】
2016156566.tif 000003
【図２】
2016156566.tif 000004